(57)【特許請求の範囲】
【請求項１】
印刷する画像データを原本画像データとして記憶部に記憶する画像処理装置であって、
前記画像データのサイズ変更に関する設定情報を作成し、前記設定情報に基づいて前記画像データからサイズ変更画像データを作成するサイズ変更部と、
前記設定情報と、前記原本画像データを識別するための識別情報とを有する属性情報を作成する属性情報作成部と、
前記サイズ変更画像データと前記属性情報とを合成して、出力画像データを作成する画像合成部と、
前記出力画像データを印刷用紙に印刷する印刷部と、
前記出力画像データが印刷された印刷用紙を読み取り、スキャン画像データを作成するスキャナ部と、
前記スキャン画像データから属性情報を抽出し、抽出された属性情報から前記識別情報と前記設定情報とを取得する属性情報抽出部と、
取得した前記識別情報に基づいて、前記記憶部に記憶された前記原本画像データを取得するデータ取得部と、
取得した前記設定情報に基づいて、取得した前記原本画像データのサイズと、前記スキャン画像データのサイズとを調整し、前記原本画像データと前記スキャン画像データとの差分を抽出する差分抽出部と、
を備えることを特徴とする画像処理装置。
【請求項２】
請求項１に記載の画像処理装置において、
前記属性情報作成部は、
前記属性情報として、前記識別情報と前記設定情報とが記録された２次元コードを作成するコード作成部、
を含むことを特徴とする画像処理装置。
【請求項３】
請求項１または請求項２に記載の画像処理装置において、
前記差分抽出部は、
前記スキャン画像データから前記属性情報を削除する属性情報削除部、
を含み、
前記差分抽出部は、前記属性情報が削除された前記スキャン画像データと、前記原本画像データとの差分を抽出することを特徴とする画像処理装置。
【発明の詳細な説明】
【技術分野】
【０００１】
本発明は、オリジナルの画像データと、修正が加えられた画像データとの差分を抽出する画像処理装置に関する。
【背景技術】
【０００２】
従来から、パーソナルコンピュータ（ＰＣ）にインストールされた文書作成用のアプリケーションを用いて文書データを作成することが広く行われている。文書データの作成者は、文書データが印刷された印刷文書を用いて、作成した文書データの内容をチェックすることがある。具体的には、作成者は、印刷文書の内容を確認し、修正内容を印刷文書に直接書き込むことによって、文書データのチェックを行う。
【０００３】
また、作成者は、文書データを修正する際に、印刷文書に書き込まれた修正内容を全て目視で確認する必要がある。作成者が印刷文書に書き込まれた修正内容を見落とした場合、印刷用紙に書き込まれた修正内容が、文書データに反映されない。そこで、オリジナルのデータが印刷された印刷文書と、オリジナルのデータとの差異を抽出する画像処理装置が、たとえば、特許文献１に開示されている。
【０００４】
特許文献１に開示されている画像処理装置は、スキャナが原稿を読み取って作成した原本データを、識別情報と対応付けてデータベースに保存する。そして、原本データは、識別情報を示すバーコードが付加され、コピー原稿として印刷される。また、特許文献１に開示されている画像処理装置は、コピー原稿を読み込んで作成した検出対象原稿データからバーコードを抽出し、バーコードから識別情報を取得する。検出対象画像データと識別情報により特定される原本データとが、画素単位で比較されることによって、差分処理が行われる。
【０００５】
【特許文献１】特開２００５−６４７８６号公報
【発明の開示】
【発明が解決しようとする課題】
【０００６】
上述したように、特許文献１に開示されている画像処理装置は、バーコードが付加された原本データを印刷する。また、従来の画像処理装置は、原本データにバーコードを付加する際に、原本データを縮小することがある。これは、原本データとバーコードとが重なった状態で、コピー原稿が作成されることを防ぐためである。
【０００７】
しかし、縮小された原本データからコピー原稿が作成された場合、以下のような問題が発生する。差分処理の際に、検出対象画像データ中の原本データのサイズおよび解像度と、識別情報により特定される原本データのサイズおよび解像度とを一致させる必要がある。特許文献１に開示されている画像処理装置は、検出対象画像データ中の原本データのサイズおよび解像度の正確な値を取得することができない。この結果、特許文献１に開示されている画像処理装置では、検出対象画像データ中の原本データと、識別情報で特定される原本データとの差分を正確に抽出することが難しいという問題があった。
【０００８】
そこで、本発明は前記問題点に鑑み、オリジナルの画像データと、変更が加えられた画像データとの差分を、正確に抽出することができる画像処理装置を提供することを目的とする。
【課題を解決するための手段】
【０００９】
上記課題を解決するため、請求項１記載の発明は、印刷する画像データを原本画像データとして記憶部に記憶する画像処理装置であって、前記画像データのサイズ変更に関する設定情報を作成し、前記設定情報に基づいて前記画像データからサイズ変更画像データを作成するサイズ変更部と、前記設定情報と、前記原本画像データを識別するための識別情報とを有する属性情報を作成する属性情報作成部と、前記サイズ変更画像データと前記属性情報とを合成して、出力画像データを作成する画像合成部と、前記出力画像データを印刷用紙に印刷する印刷部と、前記出力画像データが印刷された印刷用紙を読み取り、スキャン画像データを作成するスキャナ部と、前記スキャン画像データから属性情報を抽出し、抽出された属性情報から前記識別情報と前記設定情報とを取得する属性情報抽出部と、取得した前記識別情報に基づいて、前記記憶部に記憶された前記原本画像データを取得するデータ取得部と、取得した前記設定情報に基づいて、取得した前記原本画像データのサイズと、前記スキャン画像データのサイズとを調整し、前記原本画像データと前記スキャン画像データとの差分を抽出する差分抽出部と、を備えることを特徴とする。
【００１０】
請求項２記載の発明は、請求項１に記載の画像処理装置において、前記属性情報作成部は、前記属性情報として、前記識別情報と前記設定情報とが記録された２次元コードを作成するコード作成部、を含むことを特徴とする。
【００１２】
請求項３記載の発明は、請求項１または請求項２に記載の画像処理装置において、前記差分抽出部は、前記スキャン画像データから前記属性情報を削除する属性情報削除部、を含み、前記差分抽出部は、前記属性情報が削除された前記スキャン画像データと、前記原本画像データとの差分を抽出することを特徴とする。
【発明の効果】
【００１３】
本発明に係る画像処理装置は、画像データの識別情報と、画像データのサイズ変更に関する設定情報とを、サイズ変更されたサイズ変更画像データとともに印刷用紙に印刷する。このため、本発明に係る画像処理装置は、画像データと印刷用紙を読み込んで作成したスキャン画像データとの差分を抽出する際に、画像データのパラメータとスキャン画像データのパラメータとを、設定情報を用いて容易に一致させることができる。したがって、本発明に係る画像処理装置は、画像データとスキャン画像データとの差分を正確に抽出することができる。
【発明を実施するための最良の形態】
【００１４】
以下、図面を参照しつつ本発明の一実施の形態について説明する。本実施の形態では、本発明の画像処理装置の一例として、ネットワーク複合機について説明する。図１は、本実施の形態に係るネットワーク複合機１の構成を含むネットワークシステムの構成図である。
【００１５】
図１に示すネットワークシステムは、ネットワーク複合機１と、パーソナルコンピュータ（ＰＣ）２、２と、ファイルサーバ３とが、ローカルエリアネットワーク（ＬＡＮ）４に接続された構成となっている。
【００１６】
ネットワーク複合機１は、コピー機能、プリンタ機能、スキャナ機能、ファクシミリ（ＦＡＸ）機能、およびインターネットＦＡＸ（Ｉ−ＦＡＸ）機能などを備える多機能装置である。ＰＣ２、２は、ユーザが使用する端末装置である。ユーザは、ＰＣ２、２を操作して、ネットワーク複合機１のプリンタ機能、ＦＡＸ機能、あるいはＩ−ＦＡＸ機能などを利用することができる。ファイルサーバ３は、ネットワーク複合機１の指示に基づいて、原本画像データ５２を記憶する。ＬＡＮ４には、インターネットあるいは他のＬＡＮに接続するためのルータ（図示省略）などが設置されている。
【００１７】
次に、ネットワーク複合機１の構成について説明する。ネットワーク複合機１は、制御部１１と、操作部１２と、タッチパネル式ディスプレイ１３と、プリンタ部１４と、スキャナ部１５と、ＦＡＸ部１６と、Ｉ−ＦＡＸ部１７と、通信部１８とを備える。
【００１８】
制御部１１は、データ管理部１１１と、コード処理部１１２と、画像処理部１１３と、差分抽出部１１４と、マイクロプロセッサ（図示省略）と、メインメモリ（図示省略）とを備える。マイクロプロセッサは、ネットワーク複合機１の全体制御を行う。
【００１９】
操作部１２は、ネットワーク複合機１に対する各種の指示を入力するためのハードウェアキーなどで構成される。タッチパネル式ディスプレイ１３は、ネットワーク複合機１に関する情報、および各種の操作メニューを表示する。ユーザは、操作部１２およびタッチパネル式ディスプレイ１３を利用して、ネットワーク複合機１の各種操作をすることが可能である。
【００２０】
プリンタ部１４は、画像処理部１１３が作成した出力画像データ５７を印刷し、印刷文書７１として出力する。スキャナ部１５は、オートドキュメントフィーダ（図示省略）にセットされた印刷文書７２を読み取り、印刷文書７２の各ページに対応するスキャン画像データ６１１、６１２・・・で構成されるスキャンデータ６１を作成する。印刷文書７２は、ユーザによって新たな情報が印刷文書７１に追加された文書である。
【００２１】
ＦＡＸ部１６は、公衆回線網（図示省略）を介してファクシミリ通信を行う。Ｉ−ＦＡＸ部１７は、通信部１８を介してＩ−ＦＡＸの送受信を行う。通信部１８は、ＬＡＮ４あるいはインターネットなどに接続された各コンピュータとの間で、ＴＣＰ／ＩＰなどのプロトコルを利用してデータの送受信を行う。
【００２２】
次に、制御部１１が有する各機能部について説明する。データ管理部１１１は、ＰＣ２から送信された印刷の指示を受けて、印刷データ５１をラスタライズ処理し、原本画像データ５２を作成する。原本画像データ５２は、画像処理部１１３に渡されるとともに、ファイルサーバ３に保存される。このとき、データ管理部１１１は、原本画像データ５２の保存先を示す保存先情報５３を作成する。また、データ管理部１１１は、コード処理部１１２が取得した保存先情報６３に基づいて、原本画像データ５２を取得する。
【００２３】
印刷データ５１は、ＰＣ２にインストールされたプリンタドライバによって、ＰＣ２に記憶されたテキストデータなどがＰＤＬ（Ｐａｇｅ  Ｄｅｓｃｒｉｐｔｉｏｎ  Ｌａｎｇｕａｇｅ）データに変換されたデータである。
【００２４】
図２は、原本画像データ５２の一例を示す図である。原本画像データ５２は、ページデータ５２１、５２２、５２３によって構成される。ページデータ５２１、５２２、５２３は、それぞれ印刷データ５１の１ページ目、２ページ目、３ページ目に対応する。図２に示すように、ページデータ５２１、５２２、５２３の縦方向のサイズをａ１、横方向のサイズをｂ１としている。
【００２５】
保存先情報５３、６３は、ファイルサーバ３に保存されている原本画像データ５２を一意に特定できる情報である。たとえば、保存先情報５３、６３は、ＵＲＬ（Ｕｎｉｆｏｒｍ  Ｒｅｓｏｒｃｅ  Ｌｏｃａｔｏｒ）などの形式に基づいて記述される。
【００２６】
コード処理部１１２は、保存先情報５３と、画像処理部１１３が作成したサイズ設定情報５４とが記録された２次元コード５５を作成する。２次元コード５５としては、たとえば、ＱＲコード（登録商標）を用いることができる。なお、コード処理部１１２は、２次元コード５５に代えて、１次元コード（バーコード）を作成してもよい。
【００２７】
また、コード処理部１１２は、印刷文書７２の１ページ目に対応するスキャン画像データ６１１から２次元コード５５を抽出し、領域情報６２を取得する。領域情報６２は、スキャン画像データ６１１において、２次元コード５５が配置される領域を示す情報である。コード処理部１１２は、抽出した２次元コード５５から保存先情報６３と、サイズ設定情報６４とを取得する。保存先情報６３は、印刷文書７２に対応する原本画像データ５２の保存先を示す情報である。サイズ設定情報６４は、後述する差分基準データを作成する際に用いられる情報である。
【００２８】
画像処理部１１３は、原本画像データ５２と、印刷用紙の種別（Ａ４、Ｂ５など）を示す種別情報に基づいて、サイズ設定情報５４を作成する。種別情報は、印刷の指示とともにＰＣ２から送信される。画像処理部１１３は、サイズ設定情報５４に基づいて、原本画像データ５２のうちページデータ５２１を縮小したページデータ５６１を作成する。サイズ設定情報５４は、ページデータ５６１の解像度、縦方向のサイズ、横方向のサイズなどが記録された情報である。また、画像処理部１１３は、ページデータ５６１、５２２、５２３で構成される縮小画像データと、コード処理部１１２が作成した２次元コード５５とから、出力画像データ５７を作成する。
【００２９】
差分抽出部１１４は、領域情報６２に基づいて、スキャンデータ６１のスキャン画像データ６１１から２次元コード５５を削除する。差分抽出部１１４は、サイズ設定情報６４に基づいて、データ管理部１１１が取得した原本画像データ５２から差分基準データを作成する。差分基準データの構成は、縮小画像データと同一である。そして、差分基準データと、スキャンデータ６１との差分が抽出され、差分データ６５が作成される。
【００３０】
以下、上述した構成を有するネットワーク複合機１の動作について説明する。ここで、印刷データ５１の印刷処理におけるネットワーク複合機１の動作について説明する。図３は、印刷データ５１の印刷処理におけるネットワーク複合機１の動作の流れを示すフローチャートである。
【００３１】
まず、ユーザは、ＰＣ２を操作して、印刷するテキストデータと、印刷用紙の種別とを指定する。ＰＣ２のプリンタドライバは、テキストデータをＰＤＬデータに変換して、印刷データ５１を作成する。印刷データ５１および種別情報は、印刷の指示とともにＰＣ２からネットワーク複合機１に送信される。
【００３２】
ネットワーク複合機１の制御部１１は、通信部１８を介して印刷の指示を受信することにより（ステップＳ１１においてＹｅｓ）、印刷データ５１の印刷処理を開始する。具体的には、データ管理部１１１は、ＰＣ２から送信された印刷データ５１をラスタライズ処理して原本画像データ５２を作成する（ステップＳ１２）。データ管理部１１１は、原本画像データ５２をファイルサーバ３に保存し、原本画像データ５２の保存先を示す保存先情報５３を作成する（ステップＳ１３）。また、原本画像データ５２は、画像処理部１１３に渡され、保存先情報５３は、コード処理部１１２に渡される。
【００３３】
次に、画像処理部１１３が、ＰＣ２から送信された種別情報に基づいて、サイズ設定情報５４を作成する（ステップＳ１４）。具体的には、ページデータ５６１の縦方向のサイズおよび横方向のサイズを示すサイズ情報が、用紙種別に応じて予め決められている。ページデータ５６１は、ページデータ５２１が縮小されることによって作成される。画像処理部１１３は、種別情報に対応するサイズ情報と、ページデータ５２１の縦方向のサイズおよび横方向のサイズとに基づいて、ページデータ５６１の解像度、ページデータ５２１に対するページデータ５６１の縮小率を決定する。サイズ設定情報５４には、ページデータ５６１の解像度、縮小率、縦方向のサイズ、横方向のサイズが記録される。また、画像処理部１１３は、作成したサイズ設定情報５４に基づいて原本画像データ５２のページデータ５２１を縮小し、ページデータ５６１を作成する。そして、ページデータ５６１、５２２、５２３で構成される縮小画像データが作成される（ステップＳ１５）。
【００３４】
次に、コード処理部１１２は、データ管理部１１１が作成した保存先情報５３と、画像処理部１１３が作成したサイズ設定情報５４とが記録された２次元コード５５を作成する（ステップＳ１６）。画像処理部１１３は、縮小画像データと、コード処理部１１２が作成した２次元コード５５とから、出力画像データ５７を作成する（ステップＳ１７）。出力画像データ５７は、プリンタ部１４によって印刷され（ステップＳ１８）、印刷文書７１として出力される。
【００３５】
図４は、図２に示す原本画像データ５２から作成された出力画像データ５７を示す図である。出力画像データ５７のページデータ５７１、５７２、５７３が、それぞれ原本画像データ５２のページデータ５２１、５２２、５２３に対応している。ページデータ５７１において、ページデータ５６１と、２次元コード５５とが、重ならない状態で合成されている。ページデータ５６１の縦方向のサイズがａ２、横方向のサイズがｂ２である。ここで、ａ１＞ａ２であり、ｂ１＞ｂ２である。また、原本画像データ５２のページデータ５２２、５２３が、それぞれ出力画像データ５７のページデータ５７２、５７３となっている。つまり、出力画像データ５７が作成される際に、原本画像データ５２のページデータ５２２、５２３に対する画像処理は行われない。
【００３６】
このように、画像処理部１１３は、用紙種別に応じて、ページデータ５６１の縦方向のサイズおよび横方向のサイズを決めることによって、ページデータ５６１の余白に２次元コード５５を配置するようにしている。
【００３７】
なお、ＦＡＸ部１６が受信したＦＡＸデータ、あるいはＩ−ＦＡＸ部１７が受信した電子メールの添付ファイルの印刷時においても、上述した印刷データ５１の印刷処理と同様の処理が行われる。この場合、ＦＡＸ部１６がＦＡＸデータを受信した場合、あるいはＩ−ＦＡＸ部１７が電子メールを受信した場合に、ステップＳ１２〜ステップＳ１８に示す処理が行われる。
【００３８】
次に、差分抽出処理におけるネットワーク複合機１の動作について説明する。図５は、差分抽出処理におけるネットワーク複合機１の動作の流れを示すフローチャートである。
【００３９】
まず、ユーザは、印刷文書７１に対して手書きなどによって新たな情報を追加して、印刷文書７２を作成する。印刷文書７２が、スキャナ部１５のオートドキュメントフィーダ（図示省略）にセットされる。ユーザは、操作部１２またはタッチパネル式ディスプレイ１３を操作して、印刷文書７２に対する差分抽出処理の設定を行う。
【００４０】
ユーザは、差分抽出処理の設定後、操作部１２またはタッチパネル式ディスプレイ１３を操作してスキャン開始の指示を入力する。スキャナ部１５は、スキャン開始の指示に基づいて（ステップＳ２１においてＹｅｓ）、印刷文書７２の各ページを読み取り、スキャンデータ６１を作成する（ステップＳ２２）。
【００４１】
図６は、印刷文書７２から作成されたスキャンデータ６１の一例を示す図である。図６に示すスキャンデータ６１は、図４に示す出力画像データ５７に対応している。スキャンデータ６１は、印刷文書７２の１ページ目、２ページ目、３ページ目にそれぞれ対応するスキャン画像データ６１１、６１２、６１３で構成される。スキャン画像データ６１１の領域７２１と、スキャン画像データ６１２の領域７２２とに、ユーザが手書きで追加した情報が記録されていることがわかる。
【００４２】
次に、コード処理部１１２は、スキャン画像データ６１１から２次元コード５５を抽出し、２次元コード５５の領域情報６２を取得する（ステップＳ２３）。コード処理部１１２は、２次元コード５５を解析して、保存先情報６３およびサイズ設定情報６４を取得する（ステップＳ２４）。データ管理部１１１は、コード処理部１１２が取得した保存先情報６３に基づいて、印刷文書７２に対応する原本画像データ５２を取得する（ステップＳ２５）。
【００４３】
次に、差分抽出部１１４は、データ管理部１１１が取得した原本画像データ５２から差分基準データを作成する（ステップＳ２６）。具体的には、コード処理部１１２が取得したサイズ設定情報６４に基づいて、原本画像データ５２のページデータ５２１が縮小されることによって、差分基準データが作成される。原本画像データ５２のページデータ５２２、５２３に対する縮小処理は行われない。つまり、差分基準データは、縮小画像データが作成される際の処理（ステップＳ１５）と同様の手順で作成され、差分基準データと、縮小画像データとは、同一のデータとなる。また、差分抽出部１１４は、領域情報６２に基づいて、スキャン画像データ６１１中の２次元コード５５を白く塗りつぶし、スキャン画像データ６１１から２次元コード５５を削除する（ステップＳ２７）。
【００４４】
差分抽出部１１４は、差分基準データの各ページデータと、スキャンデータ６１の各ページデータとの位置合わせを行う。そして、差分抽出部１１４は、差分基準データと、スキャンデータ６１との差分を抽出し、差分データ６５を作成する（ステップＳ２８）。具体的には、差分抽出部１１４は、差分基準データの各ページデータおよびスキャンデータ６１の各ページデータの対応する画素ごとに、Ｘ−ＯＲ（排他的論理和）処理を行い、差分データ６５を作成する。差分データ６５は、プリンタ部１４によって印刷される（ステップＳ２９）。
【００４５】
図７は、印刷文書７２に対する差分抽出処理の結果を示す差分データ６５を示す図である。差分データ６５のページデータ６５１、６５２、６５３は、スキャンデータ６１のスキャン画像データ６１１、６１２、６１３に対応する。差分データ６５のページデータ６５１、６５２において、ユーザが新たに書き加えた情報が抽出されていることがわかる。また、スキャン画像データ６１１から２次元コード５５が削除されているため、ページデータ６５１において、２次元コード５５が配置されていた領域５５１が白色の状態となっている。
【００４６】
このように、本実施の形態に係るネットワーク複合機１は、印刷処理において、保存先情報５３およびサイズ設定情報５４が記録された２次元コード５５と、原本画像データ５２とを合成して、印刷文書７１を作成する。したがって、ネットワーク複合機１は、差分抽出処理において、スキャン画像データ６１１中の２次元コード５５を解析することによって、差分基準データおよびスキャンデータ６１の各ページデータの解像度、サイズを容易に一致させることができる。このため、ネットワーク複合機１は、スキャンデータ６１の各ページデータと、原本画像データ５２の各ページデータとの差分を正確に抽出することができる。
【００４７】
なお、本実施の形態において、印刷データ５１がＰＤＬデータである場合を例にして説明したが、これに限られない。たとえば、印刷データ５１がラスタデータであってもよい。この場合、画像処理部１１３は、印刷データ５１と２次元コード５５とから出力画像データ５７を作成すればよい。
【００４８】
また、本実施の形態において、差分データ６５が印刷される場合を例にして説明したが、これに限られない。たとえば、差分抽出部１１４は、差分データ６５を原本画像データ５２と対応付けて保存してもよい。
【００４９】
また、本実施の形態において、差分抽出部１１４が原本画像データ５２から差分基準データを作成する場合を例にして説明したが、これに限られない。たとえば、差分抽出部１１４は、原本画像データ５２をそのまま差分基準データとしてもよい。つまり、差分抽出部１１４は、サイズ設定情報６４を用いて、スキャン画像データ６１１中のページデータ６５１に対応する領域を、ページデータ５２１の解像度、縦方向のサイズ、横方向のサイズに合わせてもよい。
【００５０】
また、本実施の形態において、印刷文書７１の１ページ目に２次元コード５５を印刷する場合を例にして説明したが、これに限られない。たとえば、印刷文書７１の全てのページに２次元コード５５を印刷してもよい。この場合、原本画像データ５２の全ページデータに対する縮小処理が行われることによって、縮小画像データおよび差分基準データが作成される。また、スキャンデータ６１の全ページデータから２次元コード５５が削除される。
【００５１】
また、本実施の形態において、原本画像データ５２がファイルサーバ３に保存される場合を例にして説明したが、これに限られない。たとえば、ネットワーク複合機１がハードディスク装置などで構成される記憶部を備えていてもよい。この場合、データ管理部１１１は、記憶部に原本画像データ５２を保存すればよい。
【図面の簡単な説明】
【００５２】
【図１】本発明の一実施の形態に係るネットワーク複合機の構成を含むネットワークシステムの構成図である。
【図２】印刷用紙に印刷される原本画像データの一例を示す図である。
【図３】印刷処理におけるネットワーク複合機の動作を示すフローチャートである。
【図４】図２に示す原本画像データに基づいて作成された出力画像データを示す図である。
【図５】差分抽出処理におけるネットワーク複合機の動作を示すフローチャートである。
【図６】スキャンデータの一例を示す図である。
【図７】差分データの一例を示す図である。
【符号の説明】
【００５３】
１  ネットワーク複合機
２  パーソナルコンピュータ（ＰＣ）
３  ファイルサーバ
１１  制御部
１２  操作部
１３  タッチパネル式ディスプレイ
１４  プリンタ部
１５  スキャナ部
１６  ＦＡＸ部
１７  Ｉ−ＦＡＸ部
１１１  データ管理部
１１２  コード処理部
１１３  画像処理部
１１４  差分抽出部
【図１】
0004983610.tif 000002
【図２】
0004983610.tif 000003
【図３】
0004983610.tif 000004
【図４】
0004983610.tif 000005
【図５】
0004983610.tif 000006
【図６】
0004983610.tif 000007
【図７】
0004983610.tif 000008